(57)【要約】【課題】利用者が録画番組のリストを見たり、そのプレビュー画像を見たりして録画番組を選択する際、録画番組の内容を素早く把握できる録画再生装置を提供する。【解決手段】実施形態によれば、録画再生装置は、録画された番組の録画リストを画面の一部に表示する録画リスト表示部と、前記録画リストにおいて選択された録画番組のプレビュー画像を前記画面の一部に表示するプレビュー表示部と、前記録画番組における前記プレビュー画像の開始位置を設定するプレビュー設定部と、を有する。【選択図】図５
2014030160.tif 000002
【特許請求の範囲】
【請求項１】
録画された番組の録画リストを画面の一部に表示させる録画リスト表示部と、
前記録画リストにおいて選択された録画番組のプレビュー画像を前記画面の一部に表示させるプレビュー表示部と、
前記録画番組における前記プレビュー画像の開始位置を設定するプレビュー設定部と、
を有する録画再生装置。
【請求項２】
前記プレビュー設定部は、前記録画番組における前記プレビュー画像の開始位置を前記録画番組の冒頭に設定する請求項１に記載された録画再生装置。
【請求項３】
前記プレビュー設定部は、前記録画番組における前記プレビュー画像の開始位置を前記録画番組の中のランダムな位置に設定する請求項１に記載された録画再生装置。
【請求項４】
前記プレビュー設定部は、前記録画番組における前記プレビュー画像の開始位置を前記録画番組の冒頭からの経過時間で設定する請求項１に記載された録画再生装置。
【請求項５】
前記プレビュー設定部は、前記録画番組における前記プレビュー画像を非表示に設定する請求項１に記載された録画再生装置。
【請求項６】
前記プレビュー設定部は、前記録画番組における前記プレビュー画像の開始位置を設定する際、前記録画番組のチャンネル毎に設定する請求項１乃至請求項５のいずれか１項に記載された録画再生装置。
【請求項７】
前記プレビュー設定部は、前記録画番組における前記プレビュー画像の開始位置を設定する際、前記録画番組の番組分類毎に設定する請求項１乃至請求項５のいずれか１項に記載された録画再生装置。
【請求項８】
前記プレビュー設定部は、前記録画番組における前記プレビュー画像の開始位置を設定する際、前記録画番組のチャプタの属性毎に設定する請求項１乃至請求項５のいずれか１項に記載された録画再生装置。
【請求項９】
前記プレビュー表示部は、前記画面に前記プレビュー画像の近傍に前記プレビュー設定部が設定した設定値を表示する請求項１乃至請求項５のいずれか１項に記載された録画再生装置。
【請求項１０】
録画された番組の録画リストを画面の一部に表示させる録画リスト表示ステップと、
前記録画リストにおいて選択された録画番組のプレビュー画像を前記画面の一部に表示させるプレビュー表示ステップと、
前記録画番組における前記プレビュー画像の開始位置を設定するプレビュー設定ステップと、
を有する録画再生方法。
【発明の詳細な説明】
【技術分野】
【０００１】
本発明の実施形態は、録画再生装置及び録画再生方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、約１週間先までの番組表が表示でき、放送時間や出演者など番組内容の表示や知りたい情報の検索、番組の視聴予約や録画予約を行うことができる。
【０００３】
チャンネル数の増加に伴い、利用者が視聴したい番組の放送時間が増大し、また放送時間が重複したりすることが起きるため、番組を録画して利用者の都合に合わせた時間に視聴する機会が増えてきた。複数のチューナと比較的大きな記憶容量を有する記録装置を用いて、複数のチャネルの番組を同時に録画できる録画再生装置や、利用者が直接番組を指定して録画するだけではなく、利用者が指定したキーワードや嗜好に合致した番組を自動的に録画する機能を備えた録画再生装置が登場している。
【０００４】
利用者は、実際に視聴したい番組を録画リストに表示された多数の番組の中から、番組タイトルやプレビュー画像を見ながら、探すことになる。
【先行技術文献】
【特許文献】
【０００５】
【特許文献１】特開２００５−３３３０８号公報
【発明の概要】
【発明が解決しようとする課題】
【０００６】
従来、録画されたコンテンツの録画リストのプレビュー画像は、例えば、録画開始直後の位置など、決まったところから再生される。この場合、ある放送局の連続ドラマを毎日あるいは毎週録画したときに、プレビュー画像の開始位置がいつも主題歌の同じ位置になったり、プレビュー開始位置がいつもＣＭ（Commercial Message）部分になったりして、本編の内容を確認するまで時間が掛かることがあり、利用者にとって不都合となる場合がある。また、スポーツ中継の録画番組を再生しようとする場合に、録画リストにオンカーソルした時点でプレビュー再生が開始されてしまうことを嫌がる利用者も存在する。
【０００７】
本発明の目的は、上記したような事情に鑑み成されたものであって、利用者が録画番組のリストを見たり、そのプレビュー画像を見たりして録画番組を選択する際、録画番組の内容を素早く把握できる録画再生装置及び録画再生方法を提供することである。
【課題を解決するための手段】
【０００８】
上記目的を達成するために、実施形態によれば、録画再生装置は、録画された番組の録画リストを画面の一部に表示させる録画リスト表示部と、前記録画リストにおいて選択された録画番組のプレビュー画像を前記画面の一部に表示させるプレビュー表示部と、前記録画番組における前記プレビュー画像の開始位置を設定するプレビュー設定部と、を有する。
【図面の簡単な説明】
【０００９】
【図１】実施形態に係る録画再生装置の概観斜視図。
【図２】実施形態に係わる録画再生装置の構成を示したブロック図。
【図３】実施形態に係わるリモコンの外観図。
【図４】実施形態に係わる録画制御部の構成を示したブロック図。
【図５】画面に録画リストとプレビュー画像が表示された状態を示した図。
【図６】画面に設定メニューが表示された状態を示した図。
【図７】画面にチャンネル・番組分類選択メニューが表示された状態を示した図。
【図８】画面にチャンネル毎のプレビュー開始位置設定リストが表示された状態を示した図。
【図９】画面に番組分類毎のプレビュー開始位置設定リストが表示された状態を示した図。
【図１０】プレビュー画像の開始位置の設定処理の動作手順を示したフローチャート。
【図１１】録画リストおよびプレビュー画像の表示処理の動作手順を示したフローチャート。
【発明を実施するための形態】
【００１０】
以下実施形態について図面を参照しながら説明する。図１は、実施形態に係る録画再生装置１の概観斜視図である。録画再生装置１は、デジタル放送を受信し、受信した放送番組の映像データ及び音声データの記録および再生が可能であって、画面に放送番組の映像を表示するデジタルテレビ、ＰＣ（Personal Computer）や携帯端末等の映像記録再生装置である。あるいは、デジタル放送を受信し、受信した放送番組の映像データ及び音声データの記録および再生が可能なＤＶＤ（Digital Versatile Disc）レコーダやBlu-ray（登録商標）レコーダ等であってもよい。
【００１１】
録画再生装置１の実施形態として、デジタルテレビを一例として説明する。録画再生装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１２】
本体２は、本体２の前面側と上面、底面、両側側面の一部を覆う前面カバー５と、本体２の背面側と上面、底面、両側側面の一部を覆う背面カバー６とによって外面が囲まれている。画面７は、表示パネル４の前面カバー５の窓部５ａの内側の表示部分である。
【００１３】
リモコン８は赤外線あるいはBluetooth（登録商標）等による無線通信を利用して、録画再生装置１の操作受信部へ操作信号を送る操作機器である。
【００１４】
図２は、実施形態に係る録画再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理部１４に出力される。また、復調器１３は、ネットワーク送受信部３１を介してインターネット等のネットワーク３２から受信したＩＰ放送を復調する。
【００１６】
デコード処理部１４は、ＭＰＥＧデコーダ、映像音声デコーダ等の機能を有する。デコード処理部１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
また、デコード処理部１４は、記録装置２６から入力された映像データ及び音声データをデコードする。更に、デコード処理部１４は、外部装置３０から入力された映像データ及び音声データをデコードする機能を有する。
【００１８】
重畳処理部１５は、デコード処理部１４からの映像データと、バス２０を介して転送されるデータ放送やＧＵＩ（Graphical User Interface）情報によるウィンドー描画をプレーン管理して、映像データとの重ね合わせを行い、映像処理部１６に送る。
【００１９】
映像処理部１６は、表示装置１７で表示可能なフォーマット（画素数、フレーム周波数、走査方式）に変換したり、表示色を任意に調整したりして、表示装置１７に出力して映像を画面７に表示させる。
【００２０】
音声処理部１８は、デコード処理部１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は録画再生装置１の外部にあってもよい。また、録画再生装置１と別の本体に納められていてもよい。
【００２１】
録画再生装置１は、上記した受信動作を含むその全ての動作を制御部２１によって統括的に制御されている。制御部２１はＭＰＵ（Micro Processing Unit）２２が搭載されており、バス２０を介して接続された各構成要素を制御する。
【００２２】
ＲＡＭ（Random Access Memory）２３は、制御部２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２３】
フラッシュメモリ２５は、書き換え可能であり、電源を切ってもデータが消えない不揮発性のメモリである。フラッシュメモリ２５は、利用者によって設定された録画再生装置１の機能及び動作に関する各種設定値を記憶する機能を有する。
【００２４】
記録装置２６は、ＨＤＤ（Hard Disk Drive）、ＳＳＤ（Solid State Drive）あるいはＯＤＤ（Optical Disc Drive）等を含む記録手段である。記録装置２６には、情報を記録再生するためのエンコーダとデコーダが搭載されており、該エンコーダとデコーダを介してＭＰＥＧ２−ＴＳデータが記録装置２６の記録再生形態に適したフォーマットに変調されＨＤＤ、ＳＳＤあるいはＯＤＤに記録され、また復調されて再生データとして出力される。この再生データは、デコード処理部１４でデコードされる。
【００２５】
操作受信部２７は、操作機器２８から送信される操作信号を受信し、制御部２１に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信部２７は、これらリモコン８やキーボード等から操作信号を受信する。
【００２６】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３０が接続される。外部装置端子２９ａは外部装置３０が接続される端子である。
【００２７】
録画再生装置１は、外部インターフェース２９を介して外部装置３０に放送番組を記録することができる。記録装置２６または外部装置３０のどちらに記録するかを利用者が選択できる。また、録画再生装置１は、外部装置３０に記録された映像または音声情報を再生することができる。
【００２８】
録画再生装置１は、ネットワーク送受信部３１を介してインターネット等のネットワーク３２に接続されている。これにより、録画再生装置１は、ネットワーク３２上にあるサーバ３３等の機器とネットワーク送受信部３１を介して情報伝送を行なうことができる。例えば、ＤＬＮＡ（Digital Living Network Alliance）ガイドラインに対応したサーバから映像コンテンツを受信することが可能である。ネットワーク端子３１ａはネットワーク３５が接続される端子である。ネットワーク送受信部３１とネットワーク３２の接続は有線だけでなく、例えば、ＩＥＥＥ８０２．１１シリーズの通信方式を用いた無線ＬＡＮ等の無線接続であってもよい。
【００２９】
図２において、制御部２１は、録画制御部３４の機能を有する。この機能は、制御部２１のＭＰＵ２２が実行するアプリケーションであり、通常はＲＯＭ２４に格納されており、使用時にはＭＰＵ２２によって読み出され実行される。録画制御部３４については後に記述する。
【００３０】
図３は、実施形態に係わるリモコン８の外観図である。リモコン８は赤外線あるいはBluetooth（登録商標）等による無線通信を利用して、録画再生装置１の操作受信部２７へ操作信号を送る。電源ボタン４０は、録画再生装置１の電源をオンまたはオフする。詳細には録画再生装置１を待機状態から動作状態、または動作状態から待機状態にするボタンである。放送波選択ボタン４１は、放送の種類を選択する操作ボタンである。
【００３１】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３２】
カーソルボタン４５は画面７に表示されたＧＵＩ（Graphical User Interface）画面の各種の情報ウィンドー内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３３】
番組表ボタン４７は、番組表を画面７に表示するときに操作する専用の操作ボタンである。メニューボタン４８は、録画再生装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００３４】
補助カーソルボタン５１は、画面７に表示された番組表のページや各種リストの切り換え、複数表示されたタブの切り換えなど、主に画面７に表示されたＧＵＩ画面を切り換えるときに使用される操作ボタンである。補助カーソルボタン５１ａは左方向、５１ｂは右方向、５１ｃは下方向あるいは次の画面、５１ｄは上方向あるいは前の画面を選択したり移動したりするときに操作する。
【００３５】
４色の色ボタン５２は、左から青ボタン５２ａ、赤ボタン５２ｂ、緑ボタン５２ｃ、黄ボタン５２ｄの順に配置されている。画面７上に色により区別された項目や色による選択の表示があるときに使用する。記録装置操作ボタン５３は、記録装置２６や外部インターフェース２９を介して接続された外部装置３０に記録された番組を再生する際に、再生、停止、一時停止、早送り再生、早戻し再生、次番組スキップ、先頭戻り・前番組スキップするためのボタンである。
【００３６】
録画リストボタン５４は、画面７に録画リストを表示するときに使用する操作ボタンである。録画リストは、利用者が録画された番組を選択する際に表示する録画番組の一覧表である。録画リストの他に、プレビュー画像の表示が選択されていれば、プレビューウィンドーに選択した録画番組のプレビュー画像が表示される。
【００３７】
図４は、実施形態に係わる録画制御部３４の構成を示したブロック図である。録画制御部３４は、録画処理部６０、録画リスト生成部６１、録画リスト表示部６２、プレビュー表示部６３、プレビュー設定部６４の機能を有する。録画処理部６０は、利用者の要求に基づいて設定された放送番組の予約情報を管理し、予約された番組の録画処理、視聴中の番組の録画処理を行う。また、記録装置２６や外部装置３０の記録可能時間の算出を行う。さらに、録画リストに表示された録画番組の再生処理や消去等を行う。
【００３８】
録画リスト生成部６１は、記録装置２６や外部装置３０に録画された番組の番組情報（放送局名、放送日時、番組名、放送概要、出演者、番組詳細、番組分類等）、録画時間、録画番組が再生済みか未再生かの区別等を、記録装置２６または外部装置３０あるいはフラッシュメモリ２５から取得して、録画番組の録画リストを生成する。
【００３９】
録画リスト表示部６２は、録画リスト生成部６１が生成した録画リストのデータからＧＵＩデータを生成し、画面７の一部に表示させる。録画リスト表示部６２は、生成されたＧＵＩデータを、バス２１を介して重畳処理部１５へ送信する。重畳処理部１５に送付されたＧＵＩデータは、ＧＵＩ単独画面として処理され映像処理部１６へ伝送され調整されて、さらに表示装置１７に出力され画面７に表示される。
【００４０】
図５は、録画再生装置１の画面７に録画リスト６５と、プレビューウィンドー６６にプレビュー画像６７が表示された状態を示した図である。録画リスト表示部６２は、画面７の一部に録画リスト６５表示する。プレビュー表示部６３は、録画リスト６５において選択された録画番組のプレビュー画像６７を画面７の一部に表示する。録画リスト６５は、利用者がリモコン８の録画リストボタン５４を押下することにより表示される。
【００４１】
図５においては、録画リスト６５は、画面７の略右側に表示されており、画面７の左上側にプレビューウィンドー６６が設定され、プレビュー画像６７が、プレビューウィンドー６６内に表示される。プレビュー画像６７は、録画番組の縮小画像である。プレビュー画像６７が、表示されているときは、録画番組の音声も同時に出力される。
【００４２】
図５においては、録画リスト６５には録画番組６５ａから録画番組６５ｉまで９番組が表示され、其々に番組名と放送日が表示されている。例えば、録画番組６５ａの番組名は「タイトルＡ」である。「ＮＥＷ」と表示されている録画番組は未視聴であることを示す。録画リストが表示された直後は、最上段の録画番組６５ａが最も新しい録画番組であり、録画時間の新しい順に下方に配列されている。録画リスト６５の中で選択された番組はハイライト表示（録画番組６５ａをハッチングで示す）される。例えば、文字の色が異なったり、背景色が異なったり、背景が明るく表示される。なお、録画リスト６５が表示された直後は、最上段の録画番組６５ａがハイライト表示される。
【００４３】
利用者はリモコン８のカーソルボタン４５ｃ、４５ｄを押下して録画番組を選択する。ＰＣであれば、例えばマウスやタッチパッドを操作してカーソルを当てることによって選択することができる。最下段の録画番組６５ｉより古い録画番組を表示する場合はカーソルボタン４５ｄを押下することによってスクロールすることができる。録画番組を選択する度に録画番組のプレビュー画像６７が表示される。
【００４４】
利用者は、録画リスト６５のタイトルや放送日、プレビュー画像６７を視聴することによって視聴したい録画番組を選択し、リモコン８の決定ボタン４６を押下することによって録画リストやプレビューウィンドー６６は消去され、録画番組を全画面で再生することができる。
【００４５】
番組情報表示ウィンドー６８は、選択された録画番組の番組情報、記録装置２６あるいは外部装置３０の録画可能時間、未記録領域の比率等が表示される。プレビュー開始位置表示ウィンドー６９は、プレビューウィンドー６６の近傍に表示され、プレビュー画像６７の開始位置の設定値が表示される。図５においてはランダムと表示されている。
【００４６】
録画番組におけるプレビュー画像６７の開始位置を、録画番組の冒頭（最初）に設定したり、録画番組の中のランダムな位置に設定したり、録画番組の冒頭からの経過時間で設定したりすることが可能である。また、プレビュー画像を表示しないように設定することも可能である。プレビュー画像６７の開始位置を利用者が適宜に設定することによって、利用者が録画番組を選択する際、録画番組の内容を素早く把握できる。
【００４７】
図５において、リモコンのカーソルボタン４５ａを押下すると、プレビュー開始位置表示ウィンドー６９がハイライトされる。決定ボタン４６を押下する度に、「最初から」、「ランダム」、「時間指定」、「非表示」の順に表示が変わり、プレビュー画像６７の開始位置を設定することができる。「最初から」は、録画番組の冒頭から再生する設定、「ランダム」は録画番組の中のランダムな位置に設定、「時間指定」は録画番組の冒頭からの経過時間で設定、「非表示」はプレビュー画像を表示しないように設定できる。「時間指定」を選択すると、プレビュー開始位置表示ウィンドー６９の右側に録画番組の冒頭からの経過時間を入力することが可能となり、秒単位あるいは分単位の時間を入力することができる。
【００４８】
プレビュー画像６７の開始位置の設定は、プレビュー設定部６４によって行われる。プレビュー開始位置の設定は、上記したように画面７に録画リスト６５と、プレビューウィンドー６６が表示された状態で設定することができる。また、プレビュー開始位置の設定は、放送局のチャンネル毎あるいは番組分類毎に設定することができるが、これらは、録画再生装置１に用意された設定メニューによって設定する。
【００４９】
図６は、画面７に設定メニュー６９が表示された状態を示した図である。録画番組におけるプレビュー画像６７の開始位置を設定する際、リモコン８のメニューボタン４８を押下し設定メニュー６９を画面７に表示させる。次に設定メニュー６９の中の録画番組再生設定６９ａを選択して決定ボタン４６を押下すると、１階層下のサブ設定メニュー７０が表示され、この中にプレビュー開始位置設定７０ａが表示される。プレビュー開始位置設定７０ａを選択し、決定ボタン４６を押下すると、２階層下のプレビュー開始位置設定のチャンネル・番組分類選択メニューが表示される。なお、図５に示した画面リスト６５が表示された状態において、例えば、黄ボタン５１ｄを押下するとプレビュー開始位置設定のチャンネル・番組分類選択メニューが表示される。
【００５０】
図７は、画面７にチャンネル・番組分類選択メニュー７１が表示された状態を示した図である。利用者はチャンネル毎の設定７１ａまたは番組分類毎の設定７１ｂを選択して決定ボタン４６を押下すると其々の設定画面に移行することができる。なお、図７においては、番組分類毎の設定はジャンル毎の設定と表記されている。
【００５１】
プレビュー設定部６４は、録画番組におけるプレビュー画像の開始位置を設定する機能を有する。録画番組におけるプレビュー画像の開始位置は、例えば、録画番組の冒頭に設定したり、録画番組の中のランダムな位置に設定したり、録画番組の冒頭からの経過時間で設定したりすることが可能である。また、プレビュー表示部６３にプレビュー画像を表示させないように設定することによって、プレビュー画像を非表示とするように設定することも可能である。
【００５２】
以上の４種類の設定値は、放送局のチャンネル毎あるいは番組分類毎に設定することができる。さらに、録画番組にチャプタが打たれている場合には、チャプタの属性毎に設定することができる。プレビュー設定部６４は、設定されたデータをフラッシュメモリ２５に記憶させる。
【００５３】
図８は、画面７にチャンネル毎のプレビュー開始位置設定リストが表示された状態を示した図である。画面７の左側にチャンネル毎の開始位置設定リスト７３が表示される。チャンネル毎の開始位置設定リスト７３は、チャンネル毎に４種類の設定項目が表示され、設定値が黒丸印で表記されている。利用者は、リモコン８のカーソルボタン４５ｃ、４５ｄを押下してチャンネルを選択し、カーソルボタン４５ａ、４５ｂを押下して設定値を選択する。選択されたチャンネル行はハイライト表示される。図８においては、チャンネル１の行がハイライト表示（ハッチングで示す）されている。
【００５４】
例えば、チャンネル１を選択し、「最初から」、「ランダム」、「時間指定」、「非表示」の４個の中から設定したい設定値を選択する。カーソルボタン４５ａ、４５ｂを押下して設定したい設定値に黒丸印を移動すればよい。「時間指定」を選択すると、黒丸印の右側に録画番組の冒頭からの経過時間を入力することが可能となり、秒単位の時間を入力することができる。例えば、冒頭から３０秒経過したときから再生する場合は「３０」と入力する。時間を分単位で入力できるようにしてもよい。
【００５５】
「最初から」の設定では、録画番組の冒頭から連続して再生してもよいし、また、録画番組の冒頭から所定の時間（例えば２０秒）を再生しそれを繰り返して再生してもよい。「ランダム」の設定では、ランダムな位置から連続して再生してもよいし、また、ランダムな位置から所定の時間（例えば２０秒）を再生し、更に別のランダムな位置から所定の時間を再生することを繰り返してもよい。スポーツ中継の番組では、後半あるいは終盤のクライマックスの場面等がプレビュー再生されるのを避けるため、「前半部分からランダム」などを選択肢に追加する方法も考えられる。「時間指定」の設定では、指定した時間から連続して再生してもよいし、また、指定した時間から所定の時間（例えば２０秒）を再生し同じ再生位置を繰り返して再生してもよい。
【００５６】
ＰＣであれば、例えばマウスやタッチパッドを操作してカーソルを当てることによって選択することができる。最下段のチャンネル７より大きなチャンネル番号を表示する場合はカーソルボタン４５ｄを押下することによってスクロールすることができる。
【００５７】
図８において、画面７の右側にはチャプタ属性設定リスト７４が表示される。録画再生装置１は番組を録画するとき、あるいは録画後に、シーンの切り替わり目や音楽の曲ごとの合間にチャプタと呼ばれる単位で録画番組を分割し編集することができる。チャプタは、例えば、本編、音楽、ＣＭ等の属性が付与されている。録画番組にチャプタを適用するか否かは利用者が選択できる。チャプタの情報は録画番組のデータと共に記録装置２６等に保存されている。
【００５８】
録画番組にチャプタが適用されている場合には、プレビューの開始位置の設定にチャプタの属性を含めて設定することができる。例えば、プレビューの開始位置が冒頭から再生するように設定されている場合、チャプタの属性が本編の場合に冒頭から再生するというような設定が可能である。録画番組にチャプタが適用されていない場合には、プレビューの開始位置の設定にチャプタの属性を含めることはできない。
【００５９】
チャプタの属性を含めて設定する場合はチャプタ属性設定リスト７４において設定する。いずれかのチャンネルが選択されているときに、リモコン８の補助カーソルボタン５１ｂを押下すると、このチャンネルにおけるチャプタ属性設定リスト７４の設定に移行することができる。
【００６０】
図８において、チャンネル１が選択されているとき、補助カーソルボタン５１ｂを押下すると、チャプタ属性リスト７４に移行する。ここで先ずチャプタ属性を利用するかしないかを設定する。「チャプタ属性」の項目で決定ボタン４６を押下すると黒丸印が入力されて、チャプタ属性を利用する設定となる。続けて決定ボタン４６を押下すれば黒丸印が消去されてチャプタ属性を利用しない設定となる。決定ボタン４６を押下する度に交互に設定を変えることができる。
【００６１】
「チャプタ属性」の項目を利用するにした場合は、「本編」、「音楽」、「ＣＭ」の選択が可能となる。カーソルボタン４５ａ、４５ｂを押下して設定したい設定値に黒丸印を移動すればよい。補助カーソルボタン５１ａを押下すれば、チャンネル毎の開始位置設定リスト７３に戻ることができる。なお、リモコン８の緑ボタン５２ｃを押下すると初期設定にすることができる。初期設定は、チャプタ属性設定リスト７４については、全てのチャンネルについて、「最初から」の設定となり、また、チャプタ属性リスト７４については、全てのチャンネルについてチャプタ属性を利用しない設定となる。
【００６２】
図９は、画面７に番組分類毎のプレビュー開始位置設定リストが表示された状態を示した図である。画面７の左側に番組分類（ジャンル）毎の開始位置設定リスト７５が表示される。番組分類毎の開始位置設定リスト７５は、番組分類毎に４種類の設定項目が表示され、設定値が黒丸印で表記されている。利用者は、リモコン８のカーソルボタン４５ｃ、４５ｄを押下して番組分類を選択し、カーソルボタン４５ａ、４５ｂを押下して設定値を選択する。選択された番組分類の行はハイライト表示される。図９においては、スポーツの行がハイライト表示（ハッチングで示す）されている。
【００６３】
番組分類は、番組の内容と対象などの性質によって分けられた分類であって、例えば、地上デジタル放送においては、「ニュース／報道」、「スポーツ」、「情報／ワイドショー」、「ドラマ」、「音楽」、「バラエティ」、「映画」、「アニメ／特撮」、「ドキュメンタリー／教養」、「劇場／公演」、「趣味／教育」、「福祉」、「その他」に分類されており、これらの分類情報は番組情報の中に含まれている。
【００６４】
開始位置の設定操作については、チャンネル毎の開始位置設定リスト７３における設定操作と同様であるので省略する。また、チャプタ属性設定リスト７４の設定についても同様であるので説明を省略する。
【００６５】
図１０は、プレビュー画像の開始位置の設定処理の動作手順を示したフローチャートである。プレビュー画像の開始位置の設定処理は、利用者がプレビュー開始位置設定メニューを選択したときに開始される。Ｓ１１において、プレビュー設定部６４は、プレビュー開始位置設定メニューが選択され、決定ボタン４６が押下されたかを判定する。決定ボタンが押下されたならば、Ｓ１２に移る。押下されない場合はＳ１１にて待機する。所定の待機時間（例えば３０秒）が経過すると終了確認のダイアログボックスを提示してから終了するようにしてもよい。
【００６６】
Ｓ１２において、プレビュー設定部６４は、チャンネル毎の設定７１ａが選択されたか、またはジャンル毎の設定７１ｂが選択されたかを判定する。チャンネル毎の設定７１ａが選択されたならば、Ｓ１３へ移る。ジャンル毎の設定７１ｂが選択されたならば、Ｓ２０へ移る。Ｓ１３において、プレビュー設定部６４は、画面７にチャンネル毎の開始位置設定リスト７３とチャプタ属性設定リスト７４を表示する。
【００６７】
Ｓ１４において、プレビュー設定部６４は、何れかのチャンネルが選択されたかを判定する。チャンネルが選択されたならば、Ｓ１５へ移る。選択されなければ、Ｓ１４にて待機する。所定の待機時間（例えば３０秒）が経過すると終了確認のダイアログボックスを提示してから終了するようにしてもよい。
【００６８】
Ｓ１５において、プレビュー設定部６４は、利用者の指示に従ってプレビュー画像の開始位置を設定する。Ｓ１６において、プレビュー設定部６４は、チャプタ属性設定リスト７４に移行したかを判定する。チャプタ属性設定リスト７４に移行しないならば、Ｓ１７に移る。Ｓ１７において、プレビュー設定部６４は、他のチャンネルが選択されたかを判定する。他のチャンネルが選択されたならば、Ｓ１５へ戻る。他のチャンネルが選択されなければ、設定されたデータをフラッシュメモリ２５に記憶させ終了する。
【００６９】
Ｓ１６において、チャプタ属性設定リスト７４に移行したならば、Ｓ１８へ移って、プレビュー設定部６４は、チャプタ属性を利用するか否かを判定する。チャプタ属性を利用する場合には、Ｓ１９へ移って、プレビュー設定部６４は、利用者の指示に従ってチャプタ属性の設定をする。その後Ｓ１７へ移る。
【００７０】
Ｓ１２において、ジャンル毎の設定７１ｂが選択されたならば、Ｓ２０へ移る。Ｓ２０において、プレビュー設定部６４は、画面７に番組分類（ジャンル）毎の開始位置設定リスト７５とチャプタ属性設定リスト７４を表示する。
【００７１】
Ｓ２１において、プレビュー設定部６４は、何れかのジャンルが選択されたかを判定する。ジャンルが選択されたならば、Ｓ２２へ移る。選択されなければ、Ｓ２１にて待機する。所定の待機時間（例えば３０秒）が経過すると終了確認のダイアログボックスを提示してから終了するようにしてもよい。
【００７２】
Ｓ２２において、プレビュー設定部６４は、利用者の指示に従ってプレビュー画像の開始位置を設定する。以後のＳ２２からＳ２６の動作手順は、チャンネル毎の設定におけるＳ１５からＳ１９の動作手順で説明した内容と同様なので省略する。
【００７３】
図１１は、録画リスト６５およびプレビュー画像６７の表示処理の動作手順を示したフローチャートである。Ｓ３１において、録画リスト表示部６２は、録画リスト６５の表示の指示があったかを判定する。表示の指示があった場合には、Ｓ３２へ移る。表示の指示が無い場合には、Ｓ３１にて待機する。
【００７４】
Ｓ３２において、録画リスト表示部６２は、画面７の一部に録画リスト６５を表示する。プレビュー表示部６３は、録画リスト６５の最上段に表示された録画番組のプレビュー画像６７を、プレビュー設定部６４によって設定された開始位置の設定値に基づいてプレビューウィンドー６６に表示する。また、録画リスト表示部６２は、同時にプレビュー開始位置表示ウィンドー６９に、プレビュー画像６７の開始位置の設定値、例えば、「最初から」、「ランダム」、「時間指定」、「非表示」を表示し、番組情報表示ウィンドー６８に、録画リスト６５の最上段に表示された録画番組の番組情報、記録装置２６あるいは外部装置３０の録画可能時間、未記録領域の比率等を表示する。
【００７５】
Ｓ３３にて、録画リスト表示部６２は、録画リスト６５の他の番組が選択されたかを判定する。他の番組が選択されたならば、Ｓ３４に移って、プレビュー表示部６３に選択された録画番組のプレビュー画像を表示させる。プレビュー表示部６３は、選択された録画番組のプレビュー画像を開始位置の設定値に基づいて表示する。録画リスト表示部６２は、プレビュー開始位置表示ウィンドー６９に、プレビュー画像６７の開始位置の設定値を表示し、番組情報表示ウィンドー６８に、選択された録画番組の番組情報等を表示する。Ｓ３３にて他の番組が選択されない場合はＳ３５へ移る。
【００７６】
Ｓ３５において、録画リスト表示部６２は、プレビュー開始位置表示ウィンドー６９が選択されたかを判定する。プレビュー開始位置表示ウィンドー６９が選択されたならば、Ｓ３６に移る。選択されなかったならば、Ｓ３７へ移る。Ｓ３６において、プレビュー設定部６４は、利用者の指示に従って録画番組におけるプレビュー画像の開始位置を設定する。
【００７７】
Ｓ３７において、録画処理部６０は、選択された番組について決定ボタン４６が押下されたかを判定する。決定ボタン４６が押下されたならば、Ｓ３８へ移って、録画処理部６０は、録画リスト６５やプレビューウィンドー６６を消去し、録画番組を全画面で再生して終了する。決定ボタン４６が押下されなかった場合は所定の時間経過後に終了する。
【００７８】
以上のように、録画リスト表示部６２によって画面７に録画リストを表示し、プレビュー表示部６３によって選択された録画番組のプレビュー画像を表示する際、プレビュー設定部６４によって録画番組におけるプレビュー画像の開始位置を、例えば、「最初から」、「ランダム」、「時間指定」、「非表示」のような設定値を用いて利用者が設定できるようにすることにより、利用者が該当の録画番組の内容を素早く把握できる効果が期待できる。
【００７９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００８０】
１  録画再生装置
７  画面
８  リモコン
１４  デコード処理部
１５  重畳処理部
１６  映像処理部
１７  表示装置
２１  制御部
２２  ＭＰＵ
２３  ＲＡＭ
２４  ＲＯＭ
２５  フラッシュメモリ
２６  記録装置
２７  操作受信部
２８  操作機器
２９  外部インターフェース
３０  外部装置
３１  ネットワーク送受信部
３２  ネットワーク
３３  サーバ
３４  録画制御部
４５ａ、４５ｂ、４５ｃ、４５ｄ  カーソルボタン
４６  決定ボタン
４８  メニューボタン
５１ａ、５１ｂ、５１ｃ、５１ｄ  補助カーソルボタン
５２ａ、５２ｂ、５２ｃ、５２ｄ  色ボタン
５４  録画リストボタン
６０  録画処理部
６１  録画リスト生成部
６２  録画リスト表示部
６３  プレビュー表示部
６４  プレビュー設定部
６５  録画リスト
６６  プレビューウィンドー
６７  プレビュー画像
６８  番組情報表示ウィンドー
６９  プレビュー開始位置表示ウィンドー
６９  設定メニュー
７０  サブ設定メニュー
７１  チャンネル・番組分類選択メニュー
７３  チャンネル毎の開始位置設定リスト
７４  チャプタ属性設定リスト
７５  番組分類毎の開始位置設定リスト
【図１】
2014030160.tif 000003
【図２】
2014030160.tif 000004
【図３】
2014030160.tif 000005
【図４】
2014030160.tif 000006
【図５】
2014030160.tif 000007
【図６】
2014030160.tif 000008
【図７】
2014030160.tif 000009
【図８】
2014030160.tif 000010
【図９】
2014030160.tif 000011
【図１０】
2014030160.tif 000012
【図１１】
2014030160.tif 000013